(57)【要約】【課題】ハウジングが短寸であっても、電線配索の自由度を向上させることが可能なコネクタを提供する。【解決手段】コネクタＡは、電線５００の端末部に接続された端子金具１００を挿入可能な複数のキャビティ１４を有し、後面に各キャビティ１４の後端が開口し、且つ後面から複数の電線５００が引き出されるハウジング１０と、ハウジング１０に取り付けられ、各電線５００を通す空間６６を有するとともに、後面に空間に臨む開口部８９を有し、各キャビティ１４の後端開口面を前後方向に沿って後方へ投影した場合にその投影面の全体が開口部８９の内側に位置するようになっているアタッチメント６０とを備える。【選択図】図４
2014038821.tif 000002
【特許請求の範囲】
【請求項１】
電線の端末部に接続された端子金具を挿入可能な複数のキャビティを有し、後面に前記各キャビティの後端が開口し、且つ前記後面から複数の電線が引き出されるハウジングと、
前記ハウジングに取り付けられ、前記各電線を通す空間を有するとともに、後面に前記空間に臨む開口部を有し、前記各キャビティの後端開口面を前後方向に沿って後方へ投影した場合にその投影面の全体が前記開口部の内側に位置するようになっているアタッチメントとを備えることを特徴とするコネクタ。
【請求項２】
前記アタッチメントが、前記各電線を間に挟んだ両側に対向して連結される一対の半割体からなることを特徴とする請求項１記載のコネクタ。
【請求項３】
前記一対の半割体が互いに同一形状とされていることを特徴とする請求項２記載のコネクタ。
【請求項４】
前記一対の半割体には、互いの連結状態を保持可能な相互ロック部が形成され、前記一対の半割体が前記ハウジングに取り付けられた状態で、前記相互ロック部が、上下方向に関して、自然状態にある前記ロックアームと重なる位置に配置されることを特徴とする請求項２又は３記載のコネクタ。
【請求項５】
前記一対の半割体は、
前記一対の半割体が対向する方向と略平行に突出した形態であって、連結状態の前記一対の半割体がその対向方向と平行に離脱するのを規制する一対の相互ロック部と、
前記一対の相互ロック部が前記一対の半割体の対向方向と交差する厚さ方向に相対変位して解離するのを規制する一対の解離規制部とを備え、
前記一対の解離規制部が、前記相互ロック部の厚さ範囲内に形成されていることを特徴とする請求項２ないし４のいずれか１項記載のコネクタ。
【請求項６】
前記アタッチメントには、前記ハウジングの嵌合方向と交差する方向に突出して手指を引っ掛けることが可能な指掛け部が形成されていることを特徴とする請求項１ないし５のいずれか１項記載のコネクタ。
【請求項７】
前記ハウジングには、前記相手ハウジングを嵌合状態に係止可能なロックアームが撓み可能に形成され、
前記一対の半割体は、それぞれ貫通孔を有して互いに上下反転した状態で前記ハウジングに取り付けられ、取付状態では、前記貫通孔が、前記アタッチメントの下面に開口して水を抜くことが可能な水抜き空間になるとともに、前記アタッチメントの上面に開口して前記ロックアームへの操作を許容する操作空間になることを特徴とする請求項２ないし６のいずれか１項記載のコネクタ。
【発明の詳細な説明】
【技術分野】
【０００１】
本発明は、コネクタに関する。
【背景技術】
【０００２】
特許文献１に開示のコネクタは、後面から複数の電線が引き出されるハウジングと、ハウジングの後端部に取り付けられる電線カバーと、電線カバーの内側に取り付けられるコルゲートチューブとを備えている。コルゲートチューブの内部には複数の電線が挿通され、各電線はコルゲートチューブ及び電線カバーによって保護されるとともにコネクタの軸中心側に寄せられた状態で後方へ導出されるようになっている。
【先行技術文献】
【特許文献】
【０００３】
【特許文献１】特開平１０−２７６４５号公報
【発明の概要】
【発明が解決しようとする課題】
【０００４】
ところで、近年は小型のコネクタが好適に用いられる傾向にあり、それに伴いハウジングの小型化も求められるようになっている。一方、小型化の要請によりハウジングの前後寸法が小さくなると、相手ハウジングとの嵌合時に、手指でハウジングをうまく摘むことができないこともあり、嵌合作業に難渋するという事情がある。その点、上記コネクタによれば、ハウジングの代わりに電線カバーを摘むことにより、相手ハウジングとの嵌合作業を行うことが可能となっている。しかし、上記コネクタの場合、各電線の動きが電線カバーによって拘束されるため、例えば、電線配索の方向変換に柔軟に対応することができず、電線配索の自由度が低いという問題がある。
【０００５】
本発明は上記のような事情に基づいて完成されたものであって、ハウジングが短寸であっても、電線配索の自由度を向上させることが可能なコネクタを提供することを目的とする。
【課題を解決するための手段】
【０００６】
本発明のコネクタは、電線の端末部に接続された端子金具を挿入可能な複数のキャビティを有し、後面に前記各キャビティの後端が開口し、且つ前記後面から複数の電線が引き出されるハウジングと、前記ハウジングに取り付けられ、前記各電線を通す空間を有するとともに、後面に前記空間に臨む開口部を有し、前記各キャビティの後端開口面を前後方向に沿って後方へ投影した場合にその投影面の全体が前記開口部の内側に位置するようになっているアタッチメントとを備えるところに特徴を有する。
【発明の効果】
【０００７】
仮に、ハウジングが短寸であっても、ハウジングにアタッチメントが取り付けられることにより、ハウジング単体時よりもコネクタの前後寸法が大きくなるため、コネクタを把持し易く、相手ハウジングとの嵌合作業等を支障なく進めることができる。また、アタッチメントの開口部の内側にキャビティの後端開口面の投影面全体が位置するため、ハウジングの後面から引き出された電線の動きがアタッチメントによって過度に拘束されることはない。その結果、電線配索の自由度が高められる。
【図面の簡単な説明】
【０００８】
【図１】本発明の実施例１に係るコネクタの平面図である。
【図２】コネクタの底面図である。
【図３】コネクタの側面図である。
【図４】コネクタの背面図である。
【図５】コネクタを側方から視た断面図である。
【図６】ハウジングの平面図である。
【図７】ハウジングを側方から視た断面図である。
【図８】ハウジングの背面図である。
【図９】半割体の背面図である。
【図１０】半割体の側面図である。
【図１１】半割体を上方から視た断面図である。
【図１２】半割体の正面図である。
【図１３】半割体の斜視図である。
【図１４】コネクタを設置した状態をあらわす斜視図である。
【図１５】コネクタを設置した状態をあらわす底面図である。
【図１６】コネクタを設置した状態をあらわす側方から視た断面図である。
【図１７】本発明の実施例２に係るコネクタの平面図である。
【図１８】コネクタの底面図である。
【図１９】図１７のＸ−Ｘ線断面図である。
【図２０】図１７のＹ−Ｙ線断面図である。
【図２１】半割体の右側面図である。
【図２２】半割体の背面図である。
【図２３】半割体の左側面図である。
【図２４】図２１のＺ−Ｚ線断面図である。
【発明を実施するための形態】
【０００９】
本発明の好ましい形態を以下に示す。
【００１０】
前記アタッチメントが、前記電線を間に挟んだ両側に対向して連結される一対の半割体からなる。こうすると、ハウジングの後面から電線を引き出した状態で、ハウジングにアタッチメントを取り付けることができる。
【００１１】
前記一対の半割体が互いに同一形状とされている。したがって、一対の半割体を成形するために別々の金型を用意する必要がなく、コストを低減することができる。
【００１２】
前記一対の半割体には、互いの連結状態を保持可能な相互ロック部が形成され、前記一対の半割体が前記ハウジングに取り付けられた状態で、前記相互ロック部が、上下方向に関して、自然状態にある前記ロックアームと重なる位置に配置される。相互ロック部とロックアームとが高さ方向のラップ代を有するため、コネクタの低背化を実現することができる。
【００１３】
前記一対の半割体は、前記一対の半割体が対向する方向と略平行に突出した形態であって、連結状態の前記一対の半割体がその対向方向と平行に離脱するのを規制する一対の相互ロック部と、前記一対の相互ロック部が前記一対の半割体の対向方向と交差する厚さ方向に相対変位して解離するのを規制する一対の解離規制部とを備え、前記一対の解離規制部が、前記相互ロック部の厚さ範囲内に形成されている。この構成によれば、解離規制部を形成しても、相互ロック部の厚さ方向における大型化を回避できる。
【００１４】
前記アタッチメントには、前記ハウジングの嵌合方向と交差する方向に突出して手指を引っ掛けることが可能な指掛け部が形成されている。このように、指掛け部がハウジングの嵌合方向と交差する方向に突出する形態であれば、手指で指掛け部を引っ掛け易くなり、相手ハウジングとの嵌合作業を円滑に行うことができる。
【００１５】
前記ハウジングには、前記相手ハウジングを嵌合状態に係止可能なロックアームが撓み可能に形成され、前記一対の半割体は、それぞれ貫通孔を有して互いに上下反転した状態で前記ハウジングに取り付けられ、取付状態では、前記貫通孔が、前記アタッチメントの下面に開口して水を抜くことが可能な水抜き空間になるとともに、前記アタッチメントの上面に開口して前記ロックアームへの操作を許容する操作空間になる。このように、一対の半割体が互いに上下反転した状態でハウジングに取り付けられることにより、取付状態では、貫通孔がアタッチメントの上下両面でそれぞれ水抜き空間及び操作空間として兼用されるため、全体の構成が簡素化される。
【００１６】
＜実施例１＞
本発明の実施例１を図１〜図１６によって説明する。本実施例のコネクタＡは、図１６に示すように、ハウジング１０、アタッチメント６０及び端子金具１００を備えている。ハウジング１０は、相手ハウジング２００に嵌合可能とされている。なお、以下の説明において、手前側とは、嵌合作業を行う際に作業者が位置する側のことであり、奥側とは、手前側とは反対側であって、作業者が位置しない側のことである。上下の向きは、図３，図４を基準とする。前後方向は、図１，図３における左側を前側とする。左右の向きは、図４を基準とする。
【００１７】
相手ハウジング２００は、合成樹脂製のフード部２０１を有し、図１６に示すように、自動車のパネル等を構成して上下方向にほぼ沿った壁面３０１を有する壁部３００に固定されている。壁部３００には、図１４にも示すように、筒状のコネクタ収容部３０２が奥側に膨出して形成されている。コネクタ収容部３０２の内部には、コネクタＡを遊嵌して収容可能な収容空間３０３が形成されている。相手ハウジング２００は、コネクタ収容部３０２の奥側の端面に連結されている。
【００１８】
フード部２０１は、図１６に示すように、コネクタ収容部３０２の奥側の壁を貫通して収容空間３０３の内部に臨み、収容空間３０３の内部において手前側へ向けて突出して配置されている。フード部２０１の上壁の前端部には、ロック突起２０２が形成されている。また、フード部２０１内には、複数のタブ状の相手端子金具４００が突出して配置されている。
【００１９】
ハウジング１０は合成樹脂製であって、図７に示すように、略角ブロック状のハウジング本体１１と、ハウジング本体１１の周りを取り囲む略角筒状の嵌合筒部１２とを有している。ハウジング本体１１と嵌合筒部１２との間は、相手ハウジング２００のフード部２０１が前方から嵌合可能な嵌合空間１３として開放されている。本実施例のハウジング１０は、前後寸法が比較的短い短寸の形態とされている。
【００２０】
ハウジング本体１１は、前後方向に細長い形態とされ、その前端が嵌合筒部１２の前端よりも前方に位置している。ハウジング本体１１の内部には、図８に示すように、複数のキャビティ１４が前後方向に延出して形成されている。また、ハウジング本体１１の後部には、各キャビティ１４を区画する複数の筒部１５が形成されている。各筒部１５は、断面円形をなし、上下左右で互いに連結された状態で整列に配置されている。そして、各キャビティ１４内には、後方から端子金具１００が挿入される。
【００２１】
端子金具１００は、図１６に示すように、筒状の接続部１０１と、接続部１０１よりも後方に位置するオープンバレル状のバレル部１０２とを有している。接続部１０１内には両ハウジング１０、２００の嵌合時に相手端子金具４００が挿入され、接続部１０１内で両端子金具１００、４００が互いに導通接続されるようになっている。バレル部１０２は電線５００の端末部に接続されている。
【００２２】
また、図７に示すように、ハウジング本体１１の上面には、ロックアーム１６が連結されている。ロックアーム１６は、ハウジング本体１１の上面から立ち上がる脚部１７と、脚部１７の上端から前後両方向に延出するアーム本体部１８とを有している。アーム本体部１８は、脚部１７を支点として上下方向に撓み変形可能とされている。アーム本体部１８の前端部には、ロック孔１９が貫通して形成されている。また、アーム本体部１８の後端部には、解除時に押圧される操作部２０が一段高く形成されている。両ハウジング１０、２００の嵌合過程では、アーム本体部１８がロック突起２０２と干渉して撓み変形させられ、図１６に示すように、両ハウジング１０、２００の正規嵌合時には、アーム本体部１８が弾性復帰するとともにロック孔１９にロック突起２０２が嵌まり込み、もって両ハウジング１０、２００が互いに離脱するのが規制されるようになっている。
【００２３】
図６に示すように、嵌合筒部１２の上壁には、凹所２１が後端に開口して形成されている。アーム本体部１８は凹所２１内に露出して配置され、凹所２１を通して操作部２０への解除操作が可能とされている。凹所２１の両側縁には、ロックアーム１６を挟んだ両側に、一対の保護壁２２が立ち上げ形成されている。ロックアーム１６は両保護壁２２によって外部異物との干渉を回避可能とされている。
【００２４】
また、図６に示すように、嵌合筒部１２の上壁の両側縁には、一対の張出片２３が両側外方に張り出して形成されている。両張出片２３は、板片状をなし、その後端が前方へ向けてテーパ状に拡開し、その前端が幅方向に延びて嵌合筒部１２の前端と面一で連なる形態とされている。
【００２５】
図８に示すように、嵌合筒部１２の後端には、両側面と下面とに跨って周方向に延出する溝部２４が凹み形成されている。このうち、嵌合筒部１２の両側面の溝部２４には、図３にも示すように、一対のロック本体部２５が突出して形成されている。ロック本体部２５は、嵌合筒部１２の上下方向略中央部に位置して上下方向に細長く延びるリブ状の形態とされ、ハウジング１０の後端から前方へ向けて拡開するテーパ状の案内面２６と、溝部２４の前端との間に間隔をあけて配置される上下方向にほぼ沿った係止面２７とを有している。
【００２６】
また、図８に示すように、嵌合筒部１２の両側面の溝部２４には、ロック本体部２５を挟んだ上下両側に、一対ずつの第１、第２ハウジング側ロック部２８、２９が突出して形成されている。第１ハウジング側ロック部２８は、溝部２４の上端側に位置し、溝部２４の前端からハウジング１０の後端にかけて前後方向に細長く延びるリブ状の形態とされている。第２ハウジング側ロック部２９は、溝部２４の前端との間に間隔をあけて配置され、両側面の溝部２４の下端側に位置して上下方向に延びるとともに、下面の溝部２４に位置して全幅に亘って細長く延びる形態とされている。第２ハウジング側ロック部２９の突出量は、溝部２４の深さとほぼ同一とされ、第１ハウジング側ロック部２８及びロック本体部２５のそれぞれの突出量よりも大きくされている。
【００２７】
アタッチメント６０は合成樹脂製であって、図１及び図４に示すように、互いに連結可能な一対の半割体６１によって構成される。半割体６１は、互いに同一形状とされ、一方の半割体６１が他方の半割体６１に対し上下反転した姿勢をとって連結されるようになっている。図１６に示すように、連結状態における両半割体６１の内部には、電線５００を通す電線通し空間６６（本発明の構成要件である空間）が形成されるようになっている。
【００２８】
具体的には、半割体６１は、図１３に示すように、全体として板片状をなし、側面視略矩形状の本体部６２と、本体部６２の前縁に段付き状に連なる上下一対のアタッチメント側ロック部６３と、本体部６２の後縁から外側に突出する指掛け部６４と、本体部６２の上下両縁から内側（相手の半割体６１が位置する側）に突出する相互ロック部６５、６７とを有している。
【００２９】
図１１に示すように、本体部６２の略中央部には、通水孔６８が開口して形成されている。また、本体部６２には、通水孔６８の内部を覆うように後方へ張り出す覆い片６９が形成されている。ここで、アタッチメント６０内に浸入した水は、通水孔６８を通して外部に排水可能とされ、且つ、外部からの水は、覆い片６９によってアタッチメント６０内への浸入を阻止可能とされている。
【００３０】
図１０に示すように、本体部６２の前端部の上下方向略中央部には、上下方向に細長く延びるロック本体孔７１が貫通して形成されている。図３に示すように、ロック本体孔７１には、ハウジング１０のロック本体部２５が嵌合して係止可能とされている。
【００３１】
図１２に示すように、アタッチメント側ロック部６３は、ロック本体孔７１を挟んだ上下両側に対をなして配置され、本体部６２の外面よりも外側に突出する形態とされている。この場合、上下のアタッチメント側ロック部６３は、互いに同一形状とされている。また、本体部６２における両アタッチメント側ロック部６３の間には、ロック本体孔７１を底面に有する凹部７２が形成されている。図１０に示すように、アタッチメント側ロック部６３の内面には、前後方向に延出する第１ロック受け部７３が凹み形成されているとともに、上下方向に延出する第２ロック受け部７４が凹み形成されている。第１、第２ロック受け部７３、７４は、互いにロック本体孔７１寄りの後端部で連通しており、全体として側面視Ｌ字形をなしている。ここで、第１ロック受け部７３には、第１ハウジング側ロック部２８が嵌合して係止可能とされ、第２ロック受け部７４には、第２ハウジング側ロック部２９が嵌合して係止可能とされている。
【００３２】
相互ロック部６５、６７は、図９に示すように、本体部６２の上下両縁のうちの一方縁に配置された第１相互ロック片６５と、他方縁に配置された第２相互ロック片６７とで構成されている。さらに、第１相互ロック片６５は、内側に突出する基端側ロック片７５と、基端側ロック片７５の内端に段付き状に連なって内側に突出する先端側ロック片７６とからなる。図１１に示すように、先端側ロック片７６の内部には、相互ロック孔７７が貫通して形成されている。図９に示すように、第２相互ロック片６７は、内側に突出する形態とされ、基端側ロック片７５の突出量とほぼ同一の突出量を有している。そして、第２相互ロック片６７の先端部には、相互ロック突起７８が外側に突出して形成されている。図１及び図４に示すように、第１相互ロック片６５の相互ロック孔７７には、第２相互ロック片６７の相互ロック突起７８が嵌合して係止可能とされている。
【００３３】
また、図３に示すように、相互ロック部６５、６７は、本体部６２の上下両縁の後部に配置されている。図１に示すように、本体部６２の前部内側には、相互ロック部６５、６７の前方に、貫通孔７９が開放して形成されている。アタッチメント６０がハウジング１０に取り付けられた状態では、貫通孔７９の前方がハウジング１０の後端で閉止されるようになっている。
【００３４】
指掛け部６４は、図３に示すように、本体部６２の後端縁に沿って上下方向に延出するリブ状の形態とされている。図１に示すように、アタッチメント６０がハウジング１０に取り付けられた状態では、指掛け部６４はコネクタＡの後端に位置して両側外方に張り出すように配置されるようになっている。
【００３５】
次に、本実施例のコネクタＡの作用効果を説明する。
【００３６】
組み付けに際し、ハウジング１０の各キャビティ１４内に、後方から端子金具１００が挿入される。全ての端子金具１００がキャビティ１４内に挿入されると、各端子金具１００に接続された電線５００がハウジング１０の各筒部１５から後方に引き出される。続いて、各電線５００を間に挟むようにして一対の半割体６１が対向して配置される。この場合に、両半割体６１は相互の上下の向きを異ならせて配置され、これによって第１相互ロック片６５には第２相互ロック片６７が対向位置し、第２相互ロック片６７には第１相互ロック片６５が対向位置するようになっている。その状態で、両半割体６１が互いに接近すると、先端側ロック片７６が相互ロック突起７８に干渉して基端側ロック片７５との連結位置を支点として外側に撓み変形させられる。両半割体６１が正規の連結位置に至ると、第２相互ロック片６７と基端側ロック片７５の先端同士が互いに突き合わされ、且つ先端側ロック片７６が弾性復帰するとともに、相互ロック孔７７に相互ロック突起７８が嵌り込み、両半割体６１が互いに離脱規制状態に保持される。
【００３７】
次いで、アタッチメント６０をハウジング本体１１の後端部に取り付ける。取り付け過程では、本体部６２の前端部がロック本体部２５の案内面２６を摺動して外側に拡開させられ、取り付け完了時には、図３に示すように、ロック本体孔７１にロック本体部２５が嵌合して係止面２７に係止可能に配置される。これにより、アタッチメント６０がハウジング１０に対して抜け止め保持される。また、取り付け完了時には、本体部６２の前端部が弾性復帰して溝部２４に嵌合し、アタッチメント側ロック部６３が第１、第２ハウジング側ロック部２８、２９を外側から覆うように配置される。すると、アタッチメント側ロック部６３の第１ロック受け部７３に第１ハウジング側ロック部２８が嵌合するとともに、アタッチメント側ロック部６３の第２ロック受け部７４に第２ハウジング側ロック部２９が嵌合する。これにより、ハウジング１０に対するアタッチメント６０の取り付け姿勢が前後に傾くのが規制される。ここで、第１、第２ハウジング側ロック部２８、２９は互いに異なる形状とされているため、アタッチメント６０の取り付け姿勢の傾きを効果的に規制することが可能となっている。なお、ハウジング１０に対するアタッチメント６０の取り付け作業は、両半割体６１を連結する作業と同時に行ってもよい。
【００３８】
上記のようにアタッチメント６０がハウジング１０に取り付けられた状態では、図４に示すように、アタッチメント６０の後面に、電線通し空間６６に連通する背面視矩形の開口部８９が形成される。これにより、ハウジング１０の各キャビティ１４から引き出された電線５００は開口部８９を通して外部に配出されるようになっている。
【００３９】
図４に示すように、各キャビティ１４から電線５００が引き出されていない状態のコネクタＡを背面から視ると、アタッチメント６０の後端に開口部８９が臨み、開口部８９を通して全てのキャビティ１４の後端開口面及び全ての筒部１５の後端開口縁を目視により確認することが可能となっている。詳細には、全てのキャビティ１４の後端開口面を前後方向に沿って後方へ投影した場合に、その全てのキャビティ１４の後端開口面の投影面が開口部８９の内側に位置するように構成されている。同様に、全ての筒部１５の後端開口縁を前後方向に沿って後方へ投影した場合には、その全ての筒部１５の後端開口縁の投影面が開口部８９の内側に位置するように構成されている。つまり、本実施例のアタッチメント６０は、従前の電線カバーと違って、各電線５００を強制的に屈曲する内面を有さない構成になっている。このため、各電線５００は、アタッチメント６０によって拘束されることなく、電線通し空間６６内に実質的に遊挿された状態で配置される。
【００４０】
また、アタッチメント６０がハウジング１０に取り付けられた状態では、図５に示すように、アタッチメント６０の上下両面における相互ロック部６５、６７の前方で且つハウジング本体１１の後方に、貫通孔７９が上下方向に同軸で貫通するようになっている。このうち、アタッチメント６０の上面側の貫通孔７９にはロックアーム１６の操作部２０が上方から臨むように配置され、操作部２０を押圧操作する際に、上面側の貫通孔７９は、その内部に手指を進入させて逃がすことが可能な操作空間８８となる。また、アタッチメント６０の下面側の貫通孔７９は、アタッチメント６０内に浸入した水を外部に排出することが可能な水抜き空間８７となる。
【００４１】
さらに、図５に示すように、アタッチメント６０がハウジング１０に取り付けられた状態では、アタッチメント６０の上面における相互ロック部６５、６７が、自然状態にあるロックアーム１６のアーム本体部１８と高さ方向で重なる位置に配置され、コネクタＡの低背化が実現されている。
【００４２】
上記の場合、仮に、相互ロック部６５、６７がアタッチメント６０の上面の前部に位置していると、押圧操作される操作部２０が相互ロック部６５、６７と干渉する可能性があるため、操作部２０と相互ロック部６５、６７との間に高さ方向のクリアランスを設けなければならず、コネクタＡの高背化を回避し得ないという事情がある。その点、本実施例では、相互ロック部６５、６７がアタッチメント６０の上面の後部に位置しているため、操作部２０と相互ロック部６５、６７とを高さ位置でラップさせて低背化を実現することが可能となっており、しかも貫通孔７９の操作空間８８によって操作部２０を円滑に押圧操作することが可能となっている。
【００４３】
続いて、上記アタッチメント６０を取り付けたハウジング１０は、図１６に示すように、コネクタ収容部３０２の奥側に待ち受け状態で配置された相手ハウジング２００に嵌合される。この場合、コネクタ収容部３０２の収容空間３０３にはハウジング１０の全体が収容され、アタッチメント６０はその前端部を除いて壁部３００の壁面３０１の手前側に露出して配置される。このため、作業者は、ハウジング１０ではなくアタッチメント６０を把持することにより、コネクタ収容部３０２の収容空間３０３にハウジング１０を円滑に差し入れ、且つ相手ハウジング２００と嵌合させることができる。特に、図１４に示すように、アタッチメント６０の後端には一対の指掛け部６４が両側方に張り出しているため、両指掛け部６４を手指で摘むことにより、ハウジング１０の挿入作業をより円滑に行うことができる。なお、アタッチメント６０の前端部には両アタッチメント側ロック部６３の間に凹部７２が形成されているため、ここに手指をあてがうのが難しくなっており、指掛け部６４に手指をあてがうのが優先されるようになっている。
【００４４】
図１６に示すように、ハウジング１０がコネクタ収容部３０２の収容空間３０３に正規深さで挿入されて相手ハウジング２００に正規嵌合されると、ロックアーム１６がロック突起２０２を弾性的に係止して、両ハウジング１０、２００が離脱規制状態に保持されるとともに、端子金具１００が相手端子金具４００に正規接続される。また、図１４及び図１５に示すように、アタッチメント６０の開口部８９から配出される各電線５００は、開口部８９の後方で前後方向と交差する方向に屈曲させられ、壁部３００の壁面３０１にほぼ沿って配索されるようになっている。
【００４５】
以上説明したように、本実施例によれば、ハウジング１０が壁部３００の壁面３０１よりも奥側の収容空間３０３に挿入されたときに、アタッチメント６０が壁面３０１よりも手前側に露出する部分を有するから、その露出部分に手指をあてがうことにより、ハウジング１０が短寸であっても、ハウジング１０を収容空間３０３に支障なく設置することができる。
【００４６】
また、アタッチメント６０が各電線５００を間に挟んだ両側に対向して連結される一対の半割体６１からなるため、ハウジング１０の後面から各電線５００を引き出した状態で、ハウジング１０にアタッチメント６０を取り付けることができる。この場合、一対の半割体６１が互いに同一形状とされているため、両半割体６１を成形するために別々の金型を用意する必要がなく、コストを低減することができる。
【００４７】
また、両半割体６１が互いの上下の向きを異にして連結されることにより、両半割体６１の上下両面に形成された貫通孔７９が、アタッチメント６０の下面に開口して水を抜くことが可能な水抜き空間８７になるとともに、アタッチメント６０の上面に開口してロックアーム１６の解除操作を許容する操作空間８８になるため、全体の構成が簡素化される。
【００４８】
また、アタッチメント６０には指掛け部６４が側方（嵌合方向と交差する方向）に張り出して形成されているため、指掛け部６４に手指をあてがい易くなり、コネクタ収容部３０２の収容空間３０３への挿入作業及び相手ハウジング２００との嵌合作業を円滑に行うことができる。
【００４９】
また、ハウジング１０には第１、第２ハウジング側ロック部２８、２９が形成され、アタッチメント６０には第１、第２ハウジング側ロック部２８、２９にそれぞれ係止可能な２つのアタッチメント側ロック部６３が形成されており、第１、第２ハウジング側ロック部２８、２９が形状を異にする２種で構成され、２つのアタッチメント側ロック部６３が２種のハウジング側ロック部のいずれとも係止可能な形状を有する単一種で構成されているため、ハウジング１０にアタッチメント６０を取り付ける際に、アタッチメント６０の取付姿勢の向きを気にしなくても、第１、第２ハウジング側ロック部２８、２９にアタッチメント側ロック部６３が係止させることができる。また、第１、第２ハウジング側ロック部２８、２９が形状を異にする２種で構成されることにより、ハウジング１０に対するアタッチメント６０の取付姿勢が不正に傾くのを効果的に防止することができる。
【００５０】
また、アタッチメント６０の開口部８９の内側に全てのキャビティ１４の後端開口面の投影面全体が位置するため、ハウジング１０の後面から引き出された各電線５００の動きがアタッチメント６０によって実質的に拘束されることはなく、電線配索の自由度が高められる。
【００５１】
＜実施例２＞
次に、本発明の実施例２を図１７〜図２４を参照して説明する。本実施例２のコネクタＢは、アタッチメント９０、半割体９１、第１相互ロック片９２（本発明の構成要件である相互ロック部）、第２相互ロック片９３（本発明の構成要件である相互ロック部）を上記実施例１とは異なる構成とし、実施例１のコネクタＡに設けられていた貫通孔７９、水抜き空間８７、操作空間８８を備えない形態としたものである。尚、以下の説明において、上下の向き及び左右の向きは、図１９を基準とし、前後方向は、図１７における左側を前側とする。
【００５２】
また、本実施例２のコネクタＢには、上記実施例１には設けられていなかった構成として、新たに、規制凸部９４（本発明の構成要件である解離規制部）と、規制凹部９５（本発明の構成要件である解離規制部）が設けられている。その他の構成については上記実施例１と同じであるため、同じ構成については、同一符号を付し、構造、作用及び効果の説明は省略する。
【００５３】
アタッチメント９０は合成樹脂製であって、図１９に示すように、左右から接近させるようにして組み付けられる一対の半割体９１によって構成される。一対の半割体９１は、互いに同一形状（つまり、同一部品）であり、一方の半割体９１が他方の半割体９１に対し上下反転した姿勢（電線通し空間６６の貫通方向と平行な軸線に関して点対称な形態）をとって連結される。
【００５４】
半割体９１は、図２２に示すように、全体として板片状をなし、側面視略矩形状の本体部６２と、本体部６２の前縁に段付き状に連なる上下一対のアタッチメント側ロック部６３と、本体部６２の後縁から外側に突出する指掛け部６４と、本体部６２の上下両縁部のうち一方の縁部から内側（相手の半割体９１に接近する側）に突出する第１相互ロック片９２と、本体部６２の上下両縁部のうち他方（第１相互ロック片９２とは反対側）の縁部から内側に突出する第２相互ロック片９３とを有している。
【００５５】
図１９，２２，２４に示すように、第１相互ロック片９２は、内側に突出する基端側ロック片７５と、基端側ロック片７５の内端に段付き状に連なって内側に突出する先端側ロック片７６とからなる。図１９，２４に示すように、先端側ロック片７６には、相互ロック孔７７が貫通して形成されている。第２相互ロック片９３は、第１相互ロック片９２と略平行に内側へ突出する形態とされ、基端側ロック片７５の突出量とほぼ同一の突出量を有している。第２相互ロック片９３の先端部には、相互ロック突起７８が外面側（電線通し空間６６と反対側）に突出して形成されている。図１９に示すように、第１相互ロック片９２の相互ロック孔７７には、第２相互ロック片９３の相互ロック突起７８が嵌合して係止可能とされている。
【００５６】
相互ロック孔７７と相互ロック突起７８が嵌合した状態では、一対の半割体９１が、相対変位を規制された連結状態に保持される。相互ロック孔７７と相互ロック突起７８の嵌合によって規制される両半割体９１の相対変位方向は、左右方向（つまり、一対の半割体９１の対向方向と略平行な方向であり、電線通し空間６６の貫通方向と略直角な方向）と、前後方向（つまり、一対の半割体９１の対向方向と略直角な方向であり、電線通し空間６６の貫通方向と略平行な方向）の２方向である。
【００５７】
両半割体９１が連結された状態では、一方（図１９における左側）の半割体９１の先端側ロック片７６（第１相互ロック片９２）が他方の半割体９１の第２相互ロック片９３に対して上から当接し、一方の半割体９１の第２相互ロック片９３も他方の半割体９１の先端側ロック片７６（第１相互ロック片９２）に対して上から当接している。したがって、一方の半割体９１が他方の半割体９１に対して相対的に下方（つまり、一対の半割体９１の対向方向と略直角な方向であり、電線通し空間６６の貫通方向と略直角な方向）へ変位することは規制されている。
【００５８】
しかし、一方の半割体９１の相互ロック孔７７は他方の半割体９１の相互ロック突起７８に対して上から嵌合し、一方の半割体９１の相互ロック突起７８も他方の半割体９１の相互ロック孔７７に対して上から嵌合している。そのため、相互ロック孔７７と相互ロック突起７８が上下２カ所で嵌合していても、この嵌合作用だけでは、一方の半割体９１が他方の半割体９１に対して相対的に上方（つまり、一対の半割体９１の対向方向と略直角な方向であり、電線通し空間６６の貫通方向と略直角な方向）へ変位するのを規制することはできない。
【００５９】
そこで、本実施例２では、一方（図１９における左側）の半割体９１が他方の半割体９１に対して相対的に上方（相互ロック孔７７と相互ロック突起７８とが嵌合する方向とは反対の方向）へ相対変位するのを規制する手段として、第１相互ロック片９２に規制凸部９４を形成するとともに、第２相互ロック片９３に規制凹部９５を形成している。
【００６０】
規制凸部９４は、基端側ロック片７５の内側への延出端面から、更に内側へ突出した形態である。規制凸部９４は、基端側ロック片７５の延出端面のうち電線通し空間６６側の端縁部に沿うように偏った領域に配されている。つまり、規制凸部９４は、上下方向において、第１相互ロック片９２（基端側ロック片７５）の厚さ範囲内に配されている。
【００６１】
一方、規制凹部９５は、第２相互ロック片９３の内側への延出端面を切欠した（凹ませた）形態である。規制凹部９５は、第２相互ロック片９３の延出端面のうち電線通し空間６６側の端縁部に沿うように偏った領域に配されている。つまり、規制凹部９５は、上下方向において、第２相互ロック片９３の厚さ範囲内に配されている。したがって、規制凸部９４と規制凹部９５は、いずれも、電線通し空間６６の内部には進出（突出）しない形態となっている。
【００６２】
一対の半割体９１を組み付けて相互ロック孔７７と相互ロック突起７８を嵌合した状態では、図１９に示すように、一方の半割体９１の規制凸部９４が他方の半割体９１の規制凹部９５に対して下から当接するように嵌合するとともに、一方の半割体９１の規制凹部９５が他方の半割体９１の規制凸部９４に対して下から当接するように嵌合する。この規制凸部９４と規制凹部９５との嵌合により、一方の半割体９１が他方の半割体９１に対して上方へ相対変位することを規制される。したがって、一対の半割体９１は、上下方向、左右方向、前後方向の三次元方向において相対変位を規制された状態に保持される。
【００６３】
本実施例２のコネクタＢは、一対の半割体９１が、両半割体９１の対向方向（左右方向）と略平行に突出した形態であって、連結状態の両半割体９１がその対向方向と平行に離脱するのを規制する一対の相互ロック部（第１相互ロック片９２と第２相互ロック片９３）と、両相互ロック部（第１相互ロック片９２と第２相互ロック片９３）が両半割体９１の対向方向と交差する厚さ方向に相対変位して解離するのを規制する一対の解離規制部（規制凸部９４と規制凹部９５）とを備えている。
【００６４】
そして、この対をなす解離規制部（規制凸部９４と規制凹部９５）は、いずれも、相互ロック部（第１相互ロック片９２と第２相互ロック片９３）の厚さ範囲内に形成されている。この厚さ方向は、半割体９１の対向方向と直交する方向であり、且つ電線通し空間６６内の電線５００を挟む方向であるから、対をなす解離規制部（規制凸部９４と規制凹部９５）は、双方ともに電線通し空間６６内には突出せす、電線通し空間６６内の電線５００と干渉する虞はない。したがって、本実施例２のコネクタＢによれば、解離規制部（規制凸部９４と規制凹部９５）を形成しても、相互ロック部（第１相互ロック片９２と第２相互ロック片９３）の厚さ方向（上下方向）に大型化することはない。
【００６５】
本発明は上記記述及び図面によって説明した実施例に限定されるものではなく、例えば次のような態様も本発明の技術的範囲に含まれる。
（１）ハウジング側ロック部が３種以上の複数種で構成され、アタッチメント側ロック部がいずれのハウジング側ロック部とも係止可能な形状を有する単一種で構成されるものであってもよい。
（２）一対の半割体は互いに異形状であってもよい。
（３）貫通孔は両半割体の上下両面のうちのいずれか一面のみに形成されるものであってもよい。
【符号の説明】
【００６６】
Ａ…コネクタ
１０…ハウジング
１４…キャビティ
１６…ロックアーム
２０…操作部
２８…第１ハウジング側ロック部
２９…第２ハウジング側ロック部
６０…アタッチメント
６１…半割体
６３…アタッチメント側ロック部
６５…第１相互ロック片（相互ロック部）
６６…電線通し空間（電線を通す空間）
６７…第２相互ロック片（相互ロック部）
７９…貫通孔
８７…水抜き空間
８８…操作空間
８９…開口部
１００…端子金具
２００…相手ハウジング
３００…壁部
３０１…壁面
３０３…収容空間
４００…相手端子金具
５００…電線
Ｂ…コネクタ
９０…アタッチメント
９１…半割体
９２…第１相互ロック片（相互ロック部）
９３…第２相互ロック片（相互ロック部）
９４…規制凸部（解離規制部）
９５…規制凹部（解離規制部）
【図１】
2014038821.tif 000003
【図２】
2014038821.tif 000004
【図３】
2014038821.tif 000005
【図４】
2014038821.tif 000006
【図５】
2014038821.tif 000007
【図６】
2014038821.tif 000008
【図７】
2014038821.tif 000009
【図８】
2014038821.tif 000010
【図９】
2014038821.tif 000011
【図１０】
2014038821.tif 000012
【図１１】
2014038821.tif 000013
【図１２】
2014038821.tif 000014
【図１３】
2014038821.tif 000015
【図１４】
2014038821.tif 000016
【図１５】
2014038821.tif 000017
【図１６】
2014038821.tif 000018
【図１７】
2014038821.tif 000019
【図１８】
2014038821.tif 000020
【図１９】
2014038821.tif 000021
【図２０】
2014038821.tif 000022
【図２１】
2014038821.tif 000023
【図２２】
2014038821.tif 000024
【図２３】
2014038821.tif 000025
【図２４】
2014038821.tif 000026